(57)【要約】      （修正有）【課題】水／電気分離を実現し、電磁変換を通じて無線伝送を可能にするペット給水器を提供する。【解決手段】ペット用無線給電型給水器は、本体を備え、本体には、主制御基板２００に直流電源入力を供給するための電源１００と、送信コイル３００に交流電流を出力するための主制御基板と、交互磁場を発生させるための送信コイルと、送信コイルに平行して配置され、交互磁場で電流を発生させるための受信コイル４００と、受信コイルで発生させた電流を用いて作動駆動される水ポンプモジュール１０と、を備える。【選択図】図２
0003230289.tif 000002
【実用新案登録請求の範囲】
【請求項１】
本体を備え、前記本体には、
主制御基板に直流電源入力を供給するための電源と、
送信コイルに交流電流を出力するための主制御基板と、
交互磁場を発生させるための送信コイルと、
前記送信コイルに平行して配置され、交互磁場で電流を発生させるための受信コイルと、
受信コイルで発生させた電流を用いて作動する水ポンプモジュールと、を備える、ことを
特徴とするペット用無線給電型給水器。
【請求項２】
水ポンプ前蓋と水ポンプ後蓋をさらに備え、前記水ポンプモジュールは、前記水ポンプ前
蓋と前記水ポンプ後蓋との間に設けられる、ことを特徴とする請求項１に記載のペット用
無線給電型給水器。
【請求項３】
前記水ポンプモジュールは、ペット用無線給電型給水器に取り外し可能に接続される、こ
とを特徴とする請求項１に記載のペット用無線給電型給水器。
【請求項４】
前記本体はダブルシリンダ構造を用いる、ことを特徴とする請求項１に記載のペット用無
線給電型給水器。
【請求項５】
前記本体はシングルシリンダ構造を用いる、ことを特徴とする請求項１に記載のペット用
無線給電型給水器。
【請求項６】
前記送信コイルと前記受信コイルは平行して設けられる、ことを特徴とする請求項１に記
載のペット用無線給電型給水器。
【考案の詳細な説明】
【技術分野】
【０００１】
本願は、ペット給水器の分野に関し、具体的には、ペット用無線給電型給水器に関する。
【背景技術】
【０００２】
ペット給水器では、リードに通電して水槽内に入れて水ポンプに通電することにより、水
のポンピングを行うのが一般的である。
リードは防水効果が不十分であり、そして破損すると電気漏れを引き起こしやすいことを
考案者により見出した。さらに、メンテナンスをするときに装置全体を輸送しなければな
らないことや水槽の洗浄が困難であることも問題となる。
【０００３】
ペット給水器の水／電気分離効果が不十分であるという関連技術の問題については、現在
のことろ、満足のいく解決手段がなかった。
【考案の概要】
【考案が解決しようとする課題】
【０００４】
本願の主な目的は、ペット給水器の水／電気分離効果が不十分であるという問題を解決す
るために、ペット用無線給電型給水器を提供することである。
【課題を解決するための手段】
【０００５】
上記目的を達成させるために、本願の一態様によれば、ペット用無線給電型給水器を提供
する。
【０００６】
本出願に係るペット用無線給電型給水器は、
本体を備え、前記本体には、
主制御基板に直流電源入力を供給するための電源と、
送信コイルに交流電流を出力するための主制御基板と、
交互磁場を発生させるための送信コイルと、
前記送信コイルに平行して配置され、交互磁場で電流を発生させるための受信コイルと、
受信コイルで発生させた電流を用いて作動する水ポンプモジュールと、を備える。
【０００７】
好ましくは、ペット用無線給電型給水器は、水ポンプ前蓋と水ポンプ後蓋をさらに備え、
前記水ポンプモジュールは、前記水ポンプ前蓋と前記水ポンプ後蓋との間に設けられる。
【０００８】
好ましくは、前記水ポンプモジュールは、ペット用無線給電型給水器に取り外し可能に接
続される。
【０００９】
好ましくは、前記本体はダブルシリンダ構造を用いる。
【００１０】
好ましくは、前記本体はシングルシリンダ構造を用いる。
【００１１】
好ましくは、前記送信コイルと前記受信コイルは平行して設けられる。
【考案の効果】
【００１２】
本願の実施例では、ペット用無線給電型給水器は、電磁誘導を通じて無線給電の目的を達
成させ、それにより、水／電気分離を実現し、電磁変換により無線伝送を行う技術的効果
を奏し、それによって、ペット給水器の水／電気分離効果が不十分であるという技術的課
題を解決する。さらに、ペット用無線給電型給水器は、ワイヤを採用しないので、リード
防水を必要としなくなり、安全上のリスクを完全に解消する。
【図面の簡単な説明】
【００１３】
本願の一部を構成する図面は本願をさらに理解するために提供され、本願の他の特徴、目
的及び利点をより明らかにする。本願の模式的な実施例の図面及びその説明は本願を解釈
するために使用され、本願を不適に限定するものではない。
【図１】本願実施例に係るペット用無線給電型給水器の構造原理模式図である。
【図２】本願実施例に係るペット用無線給電型給水器の構造模式図である。
【図３】本願実施例に係るペット用無線給電型給水器のコア機能モジュールの模式図である。
【考案を実施するための形態】
【００１４】
当業者が本願の技術案をよりよく理解できるように、以下、本願実施例の図面を参照しな
がら、本願実施例の技術案を明瞭かつ完全に説明するが、勿論、説明する実施例は本願の
実施例の一部に過ぎず、すべての実施例ではない。当業者が本願の実施例に基づいて創造
的な努力を必要とせずに想到し得る他のすべての実施例は、本願の特許範囲に属する。
【００１５】
なお、本願の明細書、特許請求の範囲及び上記図面の用語「第１の」、「第２の」などは
、類似する対象を区別するために過ぎず、特定の順番又は優先順位を説明するとは限らな
い。なお、本願の実施例を簡便に説明するために、このように使用されるデータは適切な
場合には交換して使用できる。さらに、用語「備える」、「有する」及びこれらの任意の
変形は、非排他的な包含をカバーすることを意図し、例えば、一連のステップ又はユニッ
トを含むプロセス、方法、システム、製品又は機器は、明記されたこれらのステップ又は
ユニットに制限されず、明示的に挙げられていない又はこのようなプロセス、方法、製品
又は機器に固有のほかのステップ又はユニットを含むことができる。
【００１６】
本願では、用語「上」、「下」、「左」、「右」、「前」、「後」、「頂」、「底」、「
内」、「外」、「中」、「垂直」、「水平」、「横方向」、「縦方向」などにより示され
る向き又は位置関係は図面に示す向き又は位置関係に基づくものである。これらの用語は
主に本考案及びその実施例を確実に説明するために過ぎず、当該装置、素子又は構成部品
が特定の向きを有したり、特定の向きで構造又は操作したいするように限定するものでは
ない。
【００１７】
さらに、上記用語の一部は、向き又は位置関係に加えて、他の定義を示すこともでき、例
えば、場合によって、用語「上」は依存関係や接続関係を示す。当業者であれば、具体的
な状況に応じてこれらの用語の本考案での定義を理解できる。
【００１８】
また、用語「取り付け」、「設けられる」、「設けられている」、「接続」、「連結」、
「套設」は広義に理解すべきである。例えば、固定して接続してもよく、取り外し可能に
接続してもよく、一体構造としてもよい。機械的に接続してもよく、電気的に接続しても
よい。直接連結してもよく、中間部材を介して連結してもよく、又は２つの装置、素子又
は構成部材の内部が連通してもよい。当業者であれば、具体的な状況に応じてこれらの用
語の本考案での定義を理解できる。
【００１９】
なお、矛盾しない限り、本願の実施例及び実施例の特徴を互いに組み合わせることができ
る。以下、図面を参照しながら実施例にて本願を詳細に説明する。
【００２０】
本願の実施例は、ペット給水器分野への電磁‐磁電変換の応用に関する。図１に示すよう
に、本願実施例のペット用無線給電型給水器は、本体を備え、前記本体には、主制御基板
に直流電源入力を供給するための電源１００と、送信コイルに交流電流を出力するための
主制御基板２００と、交互磁場を発生させるための送信コイル３００と、前記送信コイル
に平行して設けられ、交互磁場で電流を発生させるための受信コイル４００と、受信コイ
ルで発生させた電流を用いて、水のポンピングを行うための水ポンプモジュール１０と、
を備える。具体的には、前記本体は、ペット用無線給電型給水器のハウジング部分を含め
る本体である。前記電源１００は、前記主制御基板２００に直流電源入力を供給すること
に用いられる。
【００２１】
前記主制御基板２０では、送信コイルに交流電流を出力する。前記送信コイル３００で発
生させた交互磁場を通じて、前記送信コイル３００に平行して配列された受信コイル４０
０により、前記交互磁場で電流を発生させることができる。その原理には、ファラデーの
電磁誘導の法則とレンツの法則が利用されており、閉回路の一部の導体が磁場にて磁力線
を切断するように動くときに、導体に電流が生じる。水ポンプモジュール１０は、受信コ
イルで発生させた電流を用いて作動する。
【００２２】
前記電源１０００は、前記主制御基板２００に直流電源入力を供給することに用いられ、
前記主制御基板２００が送信コイル３００に交流電流を出力し、送信コイル３００が交互
磁場を発生させ、送信コイル３００に平行して配置された受信コイル４００が交互磁場で
電流を発生させ、前記受信コイル４００が前記水ポンプモジュール１０に給電し、水ポン
プモジュール１０が作動し始める。以上の説明から明らかなように、本願は下記技術的効
果を奏する。
【００２３】
本願実施例では、電磁誘導を通じて無線給電の目的を達成させ、水／電気分離を実現し、
また電磁変換により無線伝送を行う技術的効果を達成させ、それによって、ペット給水器
の水／電気分離効果が不十分であるという技術的課題を解決する。さらに、ペット用無線
給電型給水器では、ワイヤを採用しないので、リード防水を必要としなくなり、安全上の
リスクを完全に解消する。
【００２４】
具体的には、前記受信コイル４００が交互磁場にあるとき、受信コイル４００は電流を発
生させ、電流が前記水ポンプモジュール１０に伝達され、水ポンプモジュール１０が作動
し始める。上記水ポンプモジュール１０は、簡便に給水器に入れたり給水器から取り出し
たりすることができ、このため、操作されやすく、使用性に優れる。さらに、水の交換、
シリンダの洗浄やシリンダへの消毒・殺菌が簡便に実施できる。
【００２５】
本実施例では、好ましくは、図３に示すように、ペット用無線給電型給水器は、水ポンプ
前蓋１と水ポンプ後蓋２をさらに備え、前記受信コイル４００は水ポンプのハウジング内
に設けられる。
【００２６】
具体的には、電源線が外側シリンダのベースに差し込まれて、主制御基板２００に電気を
入力し、電流が主制御基板２００のＰＣＢ回路で処理されて、送信コイル３００に伝送さ
れ、送信コイル３００にて交互磁場を発生させ、受信コイル４００が交互磁場にて電流を
発生させ、電流が水ポンプモジュール１０に伝達され、水のポンピングを行うと、水が吐
水管７に沿って貯水機能付きの水蓋６に流れ、過剰な水がオーバフローして、フィルタ４
で濾過され、シリンダの導流構造に沿ってシリンダ５に流れる。この作動過程では、各部
材が連携して作動し、きれいな飲用水がペットへ連続的に供給される。
【００２７】
さらに、本願実施例に係るペット用無線給電型給水器では、水ポンプモジュールを取り出
して洗浄することができ、シリンダも個別に取り出して洗浄することができ、シリンダの
内部がきれいできちんとしており、コーナー部などがなく、このため、容易に洗浄できる
。
【００２８】
本実施例では、好ましくは、図２に示すように、前記本体はダブルシリンダ構造を用いる
。
【００２９】
本実施例では、好ましくは、前記本体はシングルシリンダ構造を用いる。
【００３０】
具体的には、シングルシリンダ構造を用いる場合、前記送信コイル３００、主制御基板２
００、電源１００の入力インターフェースについて、構造の設計を変えることでシリンダ
５に組み込むだけでよい。このようにして、ダブルシリンダ構造から、同一又は類似の機
能を果たすシングルシリンダ構造にする。
【００３１】
なお、本実施例では、特にダブルシリンダ又はシングルシリンダ構造に制限されず、当業
者であれば、実際の用途に応じて、外観や構造の設計を変化させて使用することができる
。
【００３２】
以上は、本願の好適実施例に過ぎず、本願を制限するものではなく、当業者であれば、本
願に対してさまざまな修正や変化を行うことができ、たとえば、水位監視モジュール、水
質処理モジュール、水質監視モジュール、水温制御モジュール、機能表示モジュールなど
を増設又は増減してもよい。本願の趣旨及び原則を逸脱することなく行われる修正、等同
置換や改良などであれば、すべて本願の特許範囲に属する。
【図１】
0003230289.tif 000003
【図２】
0003230289.tif 000004
【図３】
0003230289.tif 000005